(57)【要約】
【課題】装置全体が小型であり、且つ、薄型とされ、罠を仕掛けるための設置作業が容易であり、狭い場所にも、現状を出来るだけ維持した状態で設置することのできる動物用罠を提供する。
【解決手段】二つの踏み板４Ａ、４Ｂが折り曲げ自在に接続された踏み板組立体２と、踏み板組立体２を載置するための載置台３とを有する。両踏み板４Ａ、４Ｂを山形に維持した状態にて両踏み板４Ａ、４Ｂの外周囲に、捕獲用ワイヤーロープ５０の先端わさ部５２を巻回し、ワイヤーロープ張りばね５３を所定位置まで圧縮して先端わさ部５２に縮径力を付勢する。踏み板組立体２は、踏み板４Ａ、４Ｂを踏むことにより、山形形状に維持されていた両踏み板４Ａ、４Ｂは、逆の凹形状となるように移動し、それによって、ワイヤーロープ先端わさ部５２は、ワイヤーロープ張りばね５３により踏み板組立体から上方へと抜け出て絞り込まれる。
【選択図】図１
0003101225.tif 000002
【実用新案登録請求の範囲】
【請求項１】
二つの踏み板が折り曲げ自在に接続された踏み板組立体と、前記踏み板組立体を載置するための載置台とを有し、
前記両踏み板を山形に維持した状態にて前記踏み板組立体の外周囲に、捕獲用ワイヤーロープの一端に形成された先端わさ部を巻回し、ワイヤーロープ張りばねを所定位置まで圧縮して前記先端わさ部に縮径力を付勢し、
前記踏み板組立体は、前記踏み板を踏むことにより、山形形状に維持されていた前記踏み板は、逆の凹形状となるように移動し、それによって、前記ワイヤーロープ先端わさ部は、前記ワイヤーロープ張りばねにより前記踏み板組立体から上方へと抜け出て絞り込まれる、
ことを特徴とする動物用罠。
【請求項２】
山形をなす前記両踏み板のなす角度（α）は、１７０°〜１７８°であることを特徴とする請求項１の動物用罠。
【請求項３】
前記各踏み板は、矩形状の底板と、互いに対向した前記底板の中央部のみを残して前記底板の外周囲に前記底板に対してほぼ垂直に形成されたフランジ板とを有し、前記両踏み板は、前記底板中央部にて折り曲げ自在となるように継ぎ手により接続されていることを特徴とする請求項１又は２の動物用罠。
【請求項４】
前記各踏み板の前記底板には、前記ワイヤーロープ先端わさ部の下方への抜け落ちを防止するために、前記底板より外方へと突出した規制板が設けられていることを特徴とする請求項３の動物用罠。
【請求項５】
前記継ぎ手は、前記両踏み板の中央部に隣接して互いに対向配置されたフランジ板を回動自在に接続する接続フランジとピンにより形成するか、或いは、対向配置された前記両踏み板の中央部を接続する蝶番とされることを特徴とする請求項３又は４の動物用罠。
【請求項６】
前記各踏み板の底板には、開口部が形成され、この開口部を覆って網部材が取り付けられることを特徴とする請求項３、４又は５の動物用罠。
【請求項７】
前記載置台は、矩形状をした台と、前記台の長手方向両端にて前記台の上方へと垂直に形成した側板とを有し、前記踏み板組立体は、前記載置台の両側板の間に載置されることを特徴とする請求項１〜６のいずれかの項に記載の動物用罠。
【請求項８】
前記載置台は、前記台の長手方向に沿った両端部にて前記台の下方へと垂直に突出し、長手方向端縁部が山形形状に形成された山形側板と、前記踏み板組立体を固定するための固定部材とを有し、前記踏み板組立体は、前記山形側板に係合するようにして前記固定部材により前記載置台に取り付け固定され、その後、前記踏み板組立体の外周囲に先端わさ部を巻回し、ワイヤーロープ張りばねを所定位置まで圧縮することを特徴とする請求項７の動物用罠。
【請求項９】
前記固定部材は、前記載置台に前記踏み板組立体を取り付けたとき、前記踏み板の一方側に係合するために前記載置台に形成された折り曲げ部と、前記踏み板の他方側に係合するために前記載置台にネジ止めされた取り付け板とを有することを特徴とする請求項８の動物用罠。
【請求項１０】
前記各踏み板は、半円形状の底板と、互いに対向した前記底板の直線状中央部以外の前記底板の外周辺に近接して前記底板に対してほぼ垂直に形成された複数のフランジ板とを有し、前記両踏み板は、前記底板中央部にて折り曲げ自在となるように継ぎ手により接続されていることを特徴とする請求項１又は２の動物用罠。
【請求項１１】
前記載置台は、円形状とされる前記踏み板組立体が挿入可能な円筒台と、前記円筒台の上方端縁部下方の所定位置に設けられた、前記踏み板組立体を載置するための突片支持部材とを有することを特徴とする請求項１０の動物用罠。
【考案の詳細な説明】
【技術分野】
【０００１】
本考案は、一般に、野生の鹿、猪などの比較的大型の動物を捕獲するための動物用罠に関し、特に、動物を捕獲する際に、罠に入った動物の脚部を確実に捕獲する足括り式の動物用罠に関するものである。
【背景技術】
【０００２】
従来、足括り式の動物用罠としては、例えば、特許文献１に記載する捕獲罠がある。この捕獲罠の概略構成を図１２及び図１３に示す。図１２及び図１３を参照して簡単に説明する。
【０００３】
捕獲罠１００は、バネ１０１により常に開いた状態へと付勢された「く」の字状のアーム本体１０２と、アーム本体１０２のそれぞれの先端に取り付けた捕獲ロープ１０３とを有する。捕獲ロープ１０３は、踏み抜き筒１０４と筒受け１０５の二重容器からなる踏み抜き装置１０６の踏み抜き筒１０４の外周囲に巻き回して配置される。
【０００４】
動物が踏み抜き装置１０６の踏み抜き筒１０４を踏みつけると、その重みで踏み抜き筒１０４が筒受け１０５内へと落下し、それによって、筒受け１０５が捕獲ロープ１０３を押し上げ、踏み抜き筒１０４から外れる。従って、捕獲ロープ１０３は、バネ力によりアーム本体１０２が矢印方向へと開いた状態に移動されることにより、絞り込まれ、踏み抜き筒１０４に入った動物の脚を括り付ける。
【０００５】
しかしながら、従来のこのような足括り式の動物用罠１００は、装置全体の構造が複雑で、しかも大型となっていた。そのために、可搬性が悪く、また、罠を設置するには、装置を土中に埋めるために大きな穴を掘ったり、設置した罠を隠すために、多量の落ち葉などを集めて罠全体にかける必要があった。
【０００６】
一般に、動物用罠は、狭い獣道に仕掛けられるものであり、従来の大型の罠の設置作業には多くの時間と、人手を要した。
【０００７】
また、罠の仕掛けが気取られないように、罠を仕掛けた場所の土或いはその上の落ち葉などの状態は出来るだけ現状を維持したままの方が好ましい。そのためには、穴掘りとか、或いは、付近の環境変動は最小限度とすることが必要であり、従って、動物用罠は、小型でしかも薄型であることが重要である。
【特許文献１】特開２００３−９２９７４号公報
【考案の開示】
【考案が解決しようとする課題】
【０００８】
そこで、本考案の目的は、装置全体が小型であり、且つ、薄型とされ、罠を仕掛けるための設置作業が容易であり、狭い場所にも、現状を出来るだけ維持した状態で設置することのできる動物用罠を提供することである。
【０００９】
本考案の他の目的は、可搬性に優れ、しかも、罠の操作が簡単であり、短時間にて罠設置作業が可能な動物用罠を提供することである。
【課題を解決するための手段】
【００１０】
上記目的は本考案に係る動物用罠にて達成される。要約すれば、本考案は、二つの踏み板が折り曲げ自在に接続された踏み板組立体と、前記踏み板組立体を載置するための載置台とを有し、
前記両踏み板を山形に維持した状態にて前記踏み板組立体の外周囲に、捕獲用ワイヤーロープの一端に形成された先端わさ部を巻回し、ワイヤーロープ張りばねを所定位置まで圧縮して前記先端わさ部に縮径力を付勢し、
前記踏み板組立体は、前記踏み板を踏むことにより、山形形状に維持されていた前記踏み板は、逆の凹形状となるように移動し、それによって、前記ワイヤーロープ先端わさ部は、前記ワイヤーロープ張りばねにより前記踏み板組立体から上方へと抜け出て絞り込まれる、
ことを特徴とする動物用罠である。
【００１１】
本考案の一実施態様によると、山形をなす前記両踏み板のなす角度（α）は、１７０°〜１７８°である。
【００１２】
本考案の他の実施態様によると、前記各踏み板は、矩形状の底板と、互いに対向した前記底板の中央部のみを残して前記底板の外周囲に前記底板に対してほぼ垂直に形成されたフランジ板とを有し、前記両踏み板は、前記底板中央部にて折り曲げ自在となるように継ぎ手により接続されている。
【００１３】
本考案の他の実施態様によると、前記各踏み板の前記底板には、前記ワイヤーロープ先端わさ部の下方への抜け落ちを防止するために、前記底板より外方へと突出した規制板が設けられている。
【００１４】
本考案の他の実施態様によると、前記継ぎ手は、前記両踏み板の中央部に隣接して互いに対向配置されたフランジ板を回動自在に接続する接続フランジとピンにより形成するか、或いは、対向配置された前記両踏み板の中央部を接続する蝶番とされる。
【００１５】
本考案の他の実施態様によると、前記各踏み板の底板には、開口部が形成され、この開口部を覆って網部材が取り付けられる。
【００１６】
本考案の他の実施態様によると、前記載置台は、矩形状をした台と、前記台の長手方向両端にて前記台の上方へと垂直に形成した側板とを有し、前記踏み板組立体は、前記載置台の両側板の間に載置される。
【００１７】
本考案の他の実施態様によると、前記載置台は、前記台の長手方向に沿った両端部にて前記台の下方へと垂直に突出し、長手方向端縁部が山形形状に形成された山形側板と、前記踏み板組立体を固定するための固定部材とを有し、前記踏み板組立体は、前記山形側板に係合するようにして前記固定部材により前記載置台に取り付け固定され、その後、前記踏み板組立体の外周囲に先端わさ部を巻回し、ワイヤーロープ張りばねを所定位置まで圧縮する。
【００１８】
本考案の他の実施態様によると、前記固定部材は、前記載置台に前記踏み板組立体を取り付けたとき、前記踏み板の一方側に係合するために前記載置台に形成された折り曲げ部と、前記踏み板の他方側に係合するために前記載置台にネジ止めされた取り付け板とを有する。
【００１９】
本考案の他の実施態様によると、前記各踏み板は、半円形状の底板と、互いに対向した前記底板の直線状中央部以外の前記底板の外周辺に近接して前記底板に対してほぼ垂直に形成された複数のフランジ板とを有し、前記両踏み板は、前記底板中央部にて折り曲げ自在となるように継ぎ手により接続されている。
【００２０】
本考案の他の実施態様によると、前記載置台は、円形状とされる前記踏み板組立体が挿入可能な円筒台と、前記円筒台の上方端縁部下方の所定位置に設けられた、前記踏み板組立体を載置するための突片支持部材とを有する。
【考案の効果】
【００２１】
本考案の動物用罠は、装置全体が小型であり、且つ、薄型とされ、罠を仕掛けるための設置作業が容易であり、狭い場所にも、現状を出来るだけ維持した状態で設置することができる。また、本考案の動物用罠は、可搬性に優れ、しかも、罠の操作が簡単であり、短時間にて罠設置作業が可能である。
【考案を実施するための最良の形態】
【００２２】
以下、本考案に係る動物用罠を図面に則して更に詳しく説明する。
【００２３】
実施例１
図１に、本考案に係る動物用罠の一実施例の全体構成を示す。本実施例によると、動物用罠１は、全体形状が矩形状とされ、長手方向中央部にて折り曲げ自在とされる中折れ式の踏み板組立体２と、この踏み板組立体２を載せる載置台３とを有する。踏み板組立体２は、図２をも参照するとより良く理解されるように、矩形状とされる二つの踏み板４（４Ａ、４Ｂ）を備え、この二つの踏み板４Ａ、４Ｂは、継ぎ手５にて接続されている。従って、各踏み板４Ａ、４Ｂは、継ぎ手５を中心として互いの方へと回動して折り畳み自在に構成される。本実施例では、二つの踏み板４Ａ、４Ｂは同じ形状、構造とされるが、異なる形状とすることも可能である。
【００２４】
本実施例によると、各踏み板４Ａ、４Ｂは、底板６を有する。底板６の周囲には、底板６、６が当接する側面７を除いてフランジ板８、９が形成される。フランジ板８、９は、底板６に対してほぼ垂直に形成されている。
【００２５】
今後、説明を容易とするために、各踏み板４Ａ、４Ｂのフランジ板８、９が形成されていない側を底板中央部７と呼び、踏み板組立体２の長手方向においてこの中央部７と対向した側のフランジ板を側部フランジ板８、そして、この中央部７と側部フランジ板８との間に形成されたフランジ板をガイドフランジ板９と呼ぶことにする。本実施例では、側部フランジ板８の上端８ａは、僅かに外方へと曲げられている。
【００２６】
本実施例によると、各踏み板４Ａ、４Ｂの底板６には円形の開口部１０が形成され、この開口部１０を覆って、網部材１１が取り付けられている。網部材１１は、０．５ｃｍ×０．５ｃｍ〜２ｃｍ×２ｃｍ程度の目部（メッシュ）を有することができるが、これに限定されるものではない。この構成により、踏み板４Ａ、４Ｂの重量を軽減し得ると共に、動物の足が踏み板４Ａ、４Ｂを踏んだとき、滑りをなくし、踏み板４Ａ、４Ｂを確実に踏み付けることができる。勿論、底板６の開口部１０をなくし、網部材１１を設けることなく底板６自体を加工して凹凸を設けることも可能である。或いは、凹凸部材を貼り付けても良い。
【００２７】
各踏み板４Ａ、４Ｂは、底板中央部７を互いに対向させ、ガイドフランジ板９を継ぎ手５にて接続し、一体とする。継ぎ手５は、底板中央部７において対向配置された両ガイドフランジ板９を、それぞれ、継ぎ手板５ａとピン５ｂとにより回動自在に接続する。継ぎ手５は、この構成に限定されるものではなく、後述する実施例２にて使用するように、互いに対向した底板中央部７を蝶番継ぎ手にて折り曲げ自在に接続することも可能である。
【００２８】
本考案にて重要なことは、図３、図４をも参照するとより良く理解されるように、各踏み板４Ａ、４Ｂは、ガイドフランジ板９が形成された上面側には、各踏み板４Ａ、４Ｂのなす角度が９０°以下となるまで矢印Ａ方向へと、互いに近づくように回動し得るが、その反対方向には、各踏み板のなす角度が１８０°より更に２°〜１０°程度回動した山形状態にて停止するように形成される。つまり、各踏み板４Ａ、４Ｂは、図３にて、両踏み板４Ａ、４Ｂの下面側のなす角度αが１７０°〜１７８°となる山形形状の状態となり、それ以上は回動しないようにされる。
【００２９】
本実施例では、各踏み板４Ａ、４Ｂは、互いに対向当接するガイドフランジ板９の端面９ａを僅かに傾斜させることにより、各踏み板４Ａ、４Ｂのなす角度αが１８０°より更に２°〜１０°程度回動した状態にて停止するようにした。勿論、各ガイドフランジ板９に回動角度調整部材（図示せず）を設けることによって行うこともできる。
【００３０】
底板６には、側部フランジ板８が形成された位置に対応して、外方へと突出する規制板１２が一体に取り付けられる。この規制板１２の機能については後で説明する。
【００３１】
この状態にて、捕獲用鋼索（ワイヤーロープ）５０の先端に設けられたリング部５１を介して形成された先端わさ（輪差）部５２が、踏み板組立体１の外周囲に設置され、しかも、両踏み板４Ａ、４Ｂの両ガイドフランジ板９の回動中心となる継ぎ手５の位置より下方へと設置される。このとき、側部フランジ板８の上方端８ａが僅かに外方へと曲げられていることにより、先端わさ部５２が上方から抜け出し難くする。また、先端わさ部５２に隣接して設けられたワイヤーロープ張りばね５３が、図１に一点鎖線にて示すように、所定位置まで圧縮され、その位置にストッパ５４で固定される。
【００３２】
ワイヤーロープ張りばね５３は、図７に示すように、二重ばね５３ａ、５３ｂの構造とするのが好ましい。また、ワイヤーロープ張りばね５３の圧縮作業には、図示するような先端６０ａが二股となった工具６０を使用し、ストッパ５４を矢印方向に押圧することによって、効率よく実施し得る。
【００３３】
つまり、先端わさ部５２は、ワイヤーロープ張りばね５３の圧縮力により、各踏み板４Ａ、４Ｂが、図３にて、角度αが１７０°〜１７８°となる山形形状の状態にて、踏み板組立体１の外周囲に所定の巻き付け力にて取り付けられる。
【００３４】
このように、本実施例によれば、踏み板組立体１は、各踏み板４Ａ、４Ｂのなす角度が１８０°より更に２°〜１０°程度回動した山形形状の状態にワイヤーロープ張りばね５３の圧縮力により付勢されて停止しているために、踏み板組立体１の外周囲から先端わさ部５２が上方へと移動して外れることはない。また、先端わさ部５２の下方への移動は底板６に設けた規制板１２により阻止される。
【００３５】
踏み板組立体１の外周囲にワイヤーロープ５０の先端わさ部５２を設置し、ワイヤーロープ張りばね５３が所定位置まで圧縮された踏み板組立体１は、踏み板組立体載置台３に載置する。
【００３６】
踏み板組立体載置台３は、本実施例では、踏み板組立体１と同様の矩形状をした台３１と、台３１の長手方向両端にて台３１の上方へと垂直に形成した側板３２とを有する。台３１には、その重量を軽減するために円形の開口部３１ａが打ち抜かれている。踏み板組立体１は、踏み板４Ａ、４Ｂの側部フランジ板８が、載置台３の側板３２、３２の内側に位置するようにして、台３１上に載置される。
【００３７】
また、本実施例によれば、台３１の長手方向に沿った両端部には、台３１の下方へと垂直に突出し、長手方向端縁部が山形形状に形成された山形側板３３を有する。罠を仕掛けるときは、この山形側板３３を地面に軽く押し込んで設置するのが好ましい。
【００３８】
本実施例によれば、上述のように、両踏み板４Ａ、４Ｂが１８０°以上、つまり、各踏み板４Ａ、４Ｂのなす下面側の角度が１８０°より更に２°〜１０°程度回動した停止状態にて、踏み板組立体１の外周囲に先端わさ部５２を巻回し、ワイヤーロープ張りばね５３が所定位置まで圧縮される。このとき、本実施例によれば、載置台３を使用して、ワイヤーロープ張りばね５３の圧縮作業をより容易に行うことができる。この構成について、次に説明する。
【００３９】
本実施例によれば、図５及び図６をも参照すると理解されるように、載置台３は、罠仕掛け時とは異なり、天地を逆転して、山形側板３３が上側になるようにする。山形側板３３の傾斜角度βは、踏み板組立体２の外周囲に先端わさ部５２を巻回しワイヤーロープ張りばね５３を所定位置まで圧縮したときの両踏み板４Ａ、４Ｂがなす角度、即ち、各踏み板４Ａ、４Ｂのなす下面側の角度α＝１７８°〜１７０°と同じとされる。通常１７０°程度にて作製される。
【００４０】
従って、載置台３に踏み板組立体２を取り付けたとき、両踏み板４Ａ、４Ｂは、山形側板３３の傾斜に沿った状態にて載置台３に保持することができる。
【００４１】
また、台３１の一方側には、踏み板組立体２の規制板１２に係合する係合折り曲げ部３４が形成されており、また、他方側には、先端３５ａが折り曲げられた取り付け板３５が台３１にネジ３６によりネジ止め可能とされる。
【００４２】
従って、載置台３に踏み板組立体２を取り付けたとき、踏み板４Ａ、４Ｂの一方側、本実施例では踏み板４Ａの規制板１２が台３１の折り曲げ部３４に係合し、また、他方側の踏み板４Ｂの規制板１２は、ネジ止めされた取り付け板３５により台３１に固定される。このように、踏み板組立体２は、折り曲げ部３４及び取り付け板３５のような固定部材により、載置台３に固定保持される。
【００４３】
このような状態にて、踏み板組立体２の外周囲に先端わさ部５２を巻回し、ワイヤーロープ張りばね５３を所定位置まで圧縮する。
【００４４】
本実施例によれば、踏み板組立体２は載置台３にしっかりと固定保持されているので、ワイヤーロープ張りばね５３の圧縮作業時に、踏み板組立体２を如何なる配置としても、また、例え踏み板４Ａ、４Ｂに不注意により押し下げ力を加えたとしても、踏み板組立体２が反対方向に、つまり、両踏み板４Ａ、４Ｂが、図５（ｂ）に矢印Ｂにて示すように、互いに接近するように回動し、ワイヤーロープ先端わさ部５２が踏み板組立体１の上方へと抜け出ることが防止される。従って、踏み板組立体２の外周囲に先端わさ部５２を巻回し、ワイヤーロープ張りばね５３を所定位置まで圧縮する仕掛けの準備作業をより容易に行うことができる。
【００４５】
上記仕掛けの準備作業が終わると、ネジ止めされた取り付け板３５を台３１から外し、また、台３１の折り曲げ部３４と規制板１２との係合を解除することにより、踏み板組立体２を載置台３から解放することができる。次いで、先に説明したように、載置台３の天地を逆転した後、この載置台３に踏み板組立体２を載置し、所定の場所に仕掛ける。
【００４６】
ワイヤーロープ５０の他端は、当業者には周知の固定具５５（図１）を使用して、立ち木などに固定する。また、踏み板組立体２などには、直接に、或いは、ビニールシートなどをかけた後、その上から土、落ち葉などをかけて隠す。
【００４７】
本考案の動物用罠１は、全体形状が、長さが１５ｃｍ〜３０ｃｍ、幅が１０ｃｍ〜２０ｃｍ程度とされ、ほぼ大人の靴の大きさ程度、或いは、それ以下にまで小さくすることができ、また、厚さも５ｃｍ以下とすることができる。従って、可搬性に優れていると共に、罠を仕掛けるに際して、必ずしも、載置台３及び踏み板組立体２などを土中に埋める必要はなく、仕掛けのための作業が極めて容易である。また、仕掛ける場所の環境をほぼ現状のままに維持した状態で罠を設置することができる。
【００４８】
次に、図４を参照して、上述のように構成される本実施例の動物用罠１の作動について説明する。
【００４９】
図４（ａ）は、図１及び図２（ｂ）と同様に、本考案の動物用罠１を仕掛けた状態を示す。この状態にて、図４（ｂ）に示すように、動物の脚部Ｌが、本実施例では踏み板４Ｂを踏むと、踏み板４Ｂが下方へと押し下げられることにより、今まで、上方へと凸状に、即ち、山形形状に維持されていた両踏み板４Ａ、４Ｂは、本実施例では、踏み板４Ａが矢印Ａ方向へと継ぎ手５の回りに回動し、両踏み板４Ａ、４Ｂは凹形状へと変化する。
【００５０】
ワイヤーロープ先端わさ部５２には、ワイヤーロープ張りばね５３により常にその大きさが小さくなるように圧縮力が付勢されており、従って、踏み板４Ａには、図４（ｃ）に示すように、ワイヤーロープ先端わさ部５２から踏み板４Ｂの方へと移動する力が加速度的に付加される。
【００５１】
これにより、ワイヤーロープ先端わさ部５２は、踏み板組立体２の上方へと移動し、踏み板４Ａの側部フランジ板８が矢印Ａの方へと回動すると、踏み板組立体２から上方へと抜け出る。ワイヤーロープ先端わさ部５２は、図４（ｄ）に示すように、ワイヤーロープ張りばね５３により絞り込まれ、踏み板４Ｂを踏んだ動物の脚部Ｌを瞬時に括り付ける。
【００５２】
実施例２
図８〜図９に本考案の動物用罠１の他の実施例の全体構成を示す。本実施例において、動物用罠１は、全体形状が矩形とされる実施例１の場合と異なり、全体形状が２０ｃｍ〜３０ｃｍ程度の直径を有した円形状とされる点において異なっている。しかしながら、本実施例においても、動物用罠１は、中折れ式の踏み板組立体２と、この踏み板組立体２を載せる載置台３とを有する構成において、実施例１と同様である。従って、実質的に同じ構成及び機能をなす部材には同じ参照番号を付して説明する。
【００５３】
本実施例にて、踏み板組立体２は、半円形状とされる二つの踏み板４（４Ａ、４Ｂ）を備えている。この二つの踏み板４Ａ、４Ｂは、その直径部に相当する直線状端縁部（中央部）７が互いに対向されて、蝶番とされる継ぎ手５にて接続され、円形状の踏み板組立体２を形成する。各踏み板４Ａ、４Ｂは、継ぎ手５を中心として互いの方へと回動して折り畳み自在に構成される。
【００５４】
本実施例によると、各踏み板４Ａ、４Ｂは、底板６と、底板６の外周辺に形成された細幅の側部フランジ板８と、ガイドフランジ板９とを有する。各フランジ板８、９は、底板６に対してほぼ垂直に形成されており、また、底板６の外周より僅かに、例えば１ｃｍ程度内方に位置している。
【００５５】
本実施例では、側部フランジ板８は、各踏み板の直線状中央部７に対して直交する方向に位置して配置されており、他のガイドフランジ板９よりその上方への突出量が大とされる。本実施例では、この側部フランジ板８は、別部材として形成されたＬ形状部材を溶接などにより各踏み板４Ａ、４Ｂの外周辺部に固着して形成されている。また、他のガイドフランジ板９は、底板を切り起こすことにより作製されているが、このような構成に限定されるものではなく、ガイドフランジ板９もまた別部材として作製し、溶接にて底板６に固着しても良い。
【００５６】
本実施例によると、各踏み板４Ａ、４Ｂの底板６は、これに限定されるものではないが、直径０．５ｃｍ〜２ｃｍ程度の円形の穴（開口部）１０が多数形成されている。この穴１０は、踏み板４Ａ、４Ｂの重量を軽減し得ると共に、動物の足が踏み板４Ａ、４Ｂを踏んだときの滑り止めの作用をなす。
【００５７】
本実施例においても、実施例１の場合と同様に、図９及び図１０をも参照するとより良く理解されるように、各踏み板４Ａ、４Ｂは、フランジ板８、９が形成された上面側には、各踏み板４Ａ、４Ｂのなす角度が９０°以下にまで互いの方へと近づくように回動し得るが、その反対方向には、各踏み板のなす下面側の角度が１８０°より更に２°〜１０°程度回動した状態にて停止するように形成される。つまり、各踏み板４Ａ、４Ｂは、図９にて、角度αが１７０°〜１７８°となる山形形状の状態となり、それ以上は回動しないようにされる。本実施例では、各踏み板４Ａ、４Ｂは、蝶番５の構成により、各踏み板４Ａ、４Ｂのなす角度が１８０°より更に２°〜１０°程度回動した状態にて停止するようにした。
【００５８】
この状態にて、実施例１と同様に、捕獲用鋼索（ワイヤーロープ）５０の先端に設けられたリング部５１を介して形成された先端わさ部５２が、踏み板組立体２の外周囲に設置された各フランジ板８、９の外側に、しかも、両踏み板４Ａ、４Ｂの回動中心となる継ぎ手（蝶番）５の位置より下方に設置される。このとき、上述のように、側部フランジ板８の上方端が、他のガイドフランジ板８より僅かに外方へと突出していることにより、先端わさ部５２の上方からの差し入れ時のガイドとなり、また、踏み板組立体２の外周囲に設置された先端わさ部５２の抜け出しに対して抵抗することとなる。
【００５９】
また、先端わさ部５２に隣接して設けられたワイヤーロープ張りばね５３が、実施例１で説明したと同様にして、所定位置まで圧縮され、ストッパ５４（図１）にてその位置に保持される。ワイヤーロープ張りばね５３は、実施例１と同様の構造とされ、また、実施例１と同様にしてワイヤーロープ張りばね５３の圧縮作業を行うことができる。
【００６０】
このとき、本実施例によれば、踏み板組立体２は、各踏み板４Ａ、４Ｂのなす角度が１８０°より更に２°〜１０°程度回動した状態にて停止しているために、この状態を維持した踏み板組立体２の外周囲から先端わさ部５２が上方へと移動して外れることはない。また、先端わさ部５２の下方への移動は底板６の外周辺部により阻止される。つまり、先端わさ部５２は、ワイヤーロープ張りばね５３の圧縮力により、各踏み板４Ａ、４Ｂが、図９にて、角度αが１７０°〜１７８°となる山形形状の状態にて、踏み板組立体２の外周囲に所定の巻き付け力にて取り付けられる。
【００６１】
上述のように、踏み板組立体２の外周囲に先端わさ部５２を巻回し、ワイヤーロープ張りばね５３を所定位置まで圧縮する仕掛けの準備作業時には、図１１に示すように、踏み板組立体２の裏側に、「く」の字をし、しかも、両端部に折り曲げ係合部７０ａを形成した保持部材７０を配置し、踏み板組立体２の外周辺に折り曲げ係合部７０ａを係合させて装着するのが好ましい。
【００６２】
上述のように、保持部材７０を使用すれば、踏み板組立体２は保持部材７０にしっかりと固定されているので、ワイヤーロープ張りばね５３の圧縮作業時に、踏み板組立体２を如何なる配置としても、また、例え踏み板４Ａ、４Ｂに不注意により押し下げ力を加えたとしても、踏み板組立体２が反対方向に、つまり、両踏み板４Ａ、４Ｂが、図９に矢印Ａにて示すように、互いに接近するように回動し、ワイヤーロープ先端わさ部５２が踏み板組立体２の上方へと抜け出ることが防止される。従って、踏み板組立体２の外周囲に先端わさ部５２を巻回し、ワイヤーロープ張りばね５３を所定位置まで圧縮する仕掛けの準備作業をより容易に行うことができる。
【００６３】
このように、踏み板組立体２の外周囲にワイヤーロープ５０の先端わさ部５２を設置し、ワイヤーロープ張りばね５３を所定位置まで圧縮された踏み板組立体２は、踏み板組立体載置台３に載置する。このとき、保持部材７０を使用した場合には、これを外した後、載置する。
【００６４】
踏み板組立体載置台３は、本実施例では、円形の踏み板組立体２が円滑に挿入可能とされる寸法を有した、高さが２ｃｍ〜５ｃｍ程度の円筒台３とされる。円筒台３は、その内周部に、上方端縁部から１ｃｍ程度下方の位置に複数の突片支持部材３１が固定されている。この複数の突片支持部材３１は、踏み板組立体２の台として機能する。踏み板組立体２は、円筒台３の内部へと装入し、この複数の突片支持部材３１の上に載置される。円筒台３に載置された踏み板組立体２のワイヤーロープ張りばね５３のための引き出し開口として、円筒台３の任意の箇所に凹状切欠部３ａが形成される。
【００６５】
この載置台３に踏み板組立体２を載置した状態にて、所定の場所に仕掛ける。
【００６６】
実施例１と同様に、ワイヤーロープ５０の他端は、当業者には周知の固定具を使用して、立ち木などに固定する。また、踏み板組立体などには、直接に、或いは、ビニールシートなどをかけた後、その上から土、落ち葉などをかけて隠す。
【００６７】
本実施例の罠もまた、実施例１で説明した罠と同様に、全体形状が大人の靴の大きさ程度、或いは、それ以下にまで小さくすることができ、また、厚さも５ｃｍ以下とすることができる。従って、可搬性に優れていると共に、罠を仕掛けるに際して、必ずしも、載置台３及び踏み板組立体２などを土中に埋める必要はなく、仕掛けのための作業が極めて容易である。また、仕掛ける場所の環境をほぼ現状のままに維持した状態で罠を設置することができる。
【００６８】
次に、図１０を参照して、上述のように構成される本実施例の動物用罠１の作動について説明する。
【００６９】
図１０（ａ）は、図８（ｂ）と同様に、本考案の動物用罠１を作動状態にセットした状態を示す。この状態にて、動物の脚部Ｌが、本実施例では踏み板４Ｂを踏むと、今まで、上方へと凸状に、即ち、山形形状に維持されていた両踏み板４Ａ、４Ｂは、動物の重みにより、踏み板４Ａが継ぎ手蝶番５の回りに矢印Ａ方向へと回動し、凹形状となるように移動する。
【００７０】
ワイヤーロープ先端わさ部５２には、ワイヤーロープ張りばね５３により常にその大きさが小さくなるように圧縮力が付勢されており、従って、両踏み板４Ａ、４Ｂは、図１０（ｂ）に示すように、互いの方へと移動する力がワイヤーロープ先端わさ部５２に加速度的に付加される。
【００７１】
これにより、ワイヤーロープ先端わさ部５２は、踏み板組立体２の上方へと移動し、踏み板４Ａの側部フランジ板８が矢印Ａ方向へと回動すると、踏み板組立体２から上方へと抜け出る。ワイヤーロープ先端わさ部５２は、図１０（ｃ）に示すように、ワイヤーロープ張りばね５３により絞り込まれ、踏み板４Ｂを踏んだ動物の脚部Ｌを瞬時に括り付ける。
【図面の簡単な説明】
【００７２】
【図１】本考案に係る動物用罠の一実施例の概略構成を示す斜視図である。
【図２】図１に示す動物用罠にて踏み板組立体を載置台に設置する前の状態を示す斜視図である。
【図３】図１に示す動物用罠の縦断面図である。
【図４】図１に示す動物用罠の動作を説明する図である。
【図５】図１に示す動物用罠の仕掛けの準備作業を説明する図である。図である。
【図６】図５に示す仕掛け準備作業中の動物用罠の縦断面図である。
【図７】ワイヤーロープ先端わさ部に圧縮力を導入する作業を説明する図である。
【図８】本考案に係る動物用罠の他の実施例の概略構成を示す斜視図である。
【図９】図８に示す動物用罠の縦断面図である。
【図１０】図８に示す動物用罠の動作を説明する図である。
【図１１】図８に示す動物用罠の仕掛けの準備作業を説明する図である。
【図１２】従来の動物用罠の一例を示す斜視図である。
【図１３】図１２に示す従来の動物用罠の一例を示す斜視図である。
【符号の説明】
【００７３】
１                  動物用罠
２                  踏み板組立体
３                  踏み板組立体載置台
４（４Ａ、４Ｂ）    踏み板
５                  継ぎ手
６                  底板
７                  中央部
８                  側部フランジ板
９                  ガイドフランジ板
１１                網部材
１２                規制板
３１                台
３２                側板
３３                山形側板
５０                捕獲用ワイヤーロープ
５１                リング部
５２                ワイヤーロープ先端わさ部
５３                ワイヤーロープ張りばね
７０                保持部材
７０ａ              曲げ係合部
【図１】
0003101225.tif 000003
【図２】
0003101225.tif 000004
【図３】
0003101225.tif 000005
【図４】
0003101225.tif 000006
【図５】
0003101225.tif 000007
【図６】
0003101225.tif 000008
【図７】
0003101225.tif 000009
【図８】
0003101225.tif 000010
【図９】
0003101225.tif 000011
【図１０】
0003101225.tif 000012
【図１１】
0003101225.tif 000013
【図１２】
0003101225.tif 000014
【図１３】
0003101225.tif 000015